(57)【特許請求の範囲】
【請求項１】
上枠および左右の縦枠を備えるドア枠と、
前記ドア枠に対して開閉可能に取り付けられる扉とを備え、
前記ドア枠の縦枠は、
前記扉の見込み面に対向する枠見込み面と、
前記枠見込み面から前記扉の見込み面側に突出された係合片と、
前記係合片に係合される気密材と、を備え、
前記気密材は、前記係合片に係合され、かつ、前記係合片よりも屋外側に延出された延出部分を有する基部と、前記基部の屋外側の延出部分から突出されたリップ部とを備え、
前記基部と前記枠見込み面との間には、前記枠見込み面に取り付けられる部品の取付位置の調整に利用可能な調整空間が形成され、
前記縦枠には、前記気密材よりも屋内側に取り付けられ、前記扉の屋内面に当接する戸当り材が装着されている
ことを特徴とするドア。
【請求項２】
上枠および左右の縦枠を備えるドア枠と、
前記ドア枠に対して開閉可能に取り付けられる扉とを備え、
前記ドア枠の縦枠は、
前記扉の見込み面に対向する枠見込み面と、
前記枠見込み面から前記扉の見込み面側に突出された係合片と、
前記係合片に係合される気密材と、を備え、
前記気密材は、前記係合片に係合され、かつ、前記係合片よりも屋外側に延出された延出部分を有する基部と、前記基部の屋外側の延出部分から突出されたリップ部とを備え、
前記基部と前記枠見込み面との間には、前記枠見込み面に取り付けられる部品の取付位置の調整に利用可能な調整空間が形成され、
前記縦枠は、金属製の屋外部材および屋内部材を、合成樹脂製の断熱部材で連結した枠本体を備え、
前記係合片は、前記屋外部材と屋内部材とにそれぞれ形成され、
前記気密材の基部は、前記屋外部材および屋内部材に跨がって配置されている
ことを特徴とするドア。
【請求項３】
請求項１または請求項２に記載のドアにおいて、
前記気密材の基部は、加熱により膨張する耐火材料を含んで構成されている
ことを特徴とするドア。
【発明の詳細な説明】
【技術分野】
【０００１】
本発明は、建物の玄関、勝手口などに用いられるドアに関する。
【背景技術】
【０００２】
従来より、ドア枠および扉を備えたドアにおいて、ドア枠の縦枠にＡＴ材（エアータイト材）を取り付け、扉を閉めた際に、前記ＡＴ材を扉の見込み面に当接させることで、ドア屋内側に外気が流入することを防止して、断熱性能を向上させたドアが知られている（例えば、特許文献１参照）。
このドアでは、縦枠の扉に対向する見込み面に、一対の係合片が形成され、この係合片にＡＴ材が係合される。ＡＴ材は、前記係合片に係合する基部と、前記基部から扉側に突出されて、扉の見込み面に当接するリップ部とを備える。
【０００３】
ところで、前記ドアにおいて、吊元側の縦枠には、扉を開閉するための丁番などの吊金具が取り付けられ、戸先側の縦枠には、錠受等の部品が取り付けられる。
このため、前記係合片は、縦枠の見込み面に取り付けられる部品に干渉しない位置に形成する必要があった。特に、扉の種類などによって前記各部品の見込み方向の取付位置を調整する必要があるため、前記係合片は部品の取付位置の調整範囲から外れるように、縦枠見込み面において、比較的屋内側の位置に設けられていた。したがって、ＡＴ材も縦枠の見込み面において屋内側の位置に配置されていた。
【先行技術文献】
【特許文献】
【０００４】
【特許文献１】特開２００２−２１３１５０号公報
【発明の概要】
【発明が解決しようとする課題】
【０００５】
しかしながら、前記ＡＴ材が縦枠に取り付けられる位置が見込み方向の屋内側であると、ＡＴ材が扉の見込み面に当接する位置も屋内側となる。この場合、扉の見込み面において外気に触れる面積が大きくなり、ドアの断熱性能が低下する虞がある。
【０００６】
本発明の目的は、断熱性能を向上できるドアを提供することにある。
【課題を解決するための手段】
【０００７】
本発明のドアは、上枠および左右の縦枠を備えるドア枠と、前記ドア枠に対して開閉可能に取り付けられる扉とを備え、前記ドア枠の縦枠は、前記扉の見込み面に対向する枠見込み面と、前記枠見込み面から前記扉の見込み面側に突出された係合片と、前記係合片に係合される気密材と、を備え、前記気密材は、前記係合片に係合され、かつ、前記係合片よりも屋外側に延出された延出部分を有する基部と、前記基部の屋外側の延出部分から突出されたリップ部とを備え、前記基部と前記枠見込み面との間には、前記枠見込み面に取り付けられる部品の取付位置の調整に利用可能な調整空間が形成され、前記縦枠には、前記気密材よりも屋内側に取り付けられ、前記扉の屋内面に当接する戸当り材が装着されていることを特徴とする。
【０００８】
本発明によれば、気密材の基部を係合片よりも屋外側に延出しているので、気密材の基部を屋外側に延出していない場合に比べて、気密材のリップ部が扉に接する位置を屋外側に設定できる。したがって、気密材で外気の流入を阻止した際に、扉の見込み面において外気に直接触れる面積を小さくでき、ドアの断熱性能を向上できる。
さらに、気密材の基部と、枠見込み面との間に調整空間が形成されているので、気密材が枠見込み面に取り付けられる部品と干渉せず、部品の取付位置を容易に調整できる。
また、本発明によれば、縦枠と扉との隙間において、戸当り部材の屋外側に気密材が配置され、これら２つのエアータイト材の間に密閉空気層が形成されるため、戸当り部材が外気に直接晒されることを防止できる。このため、戸当り部材の熱損失を抑制でき、断熱性能を向上できる。
【０００９】
本発明のドアは、上枠および左右の縦枠を備えるドア枠と、前記ドア枠に対して開閉可能に取り付けられる扉とを備え、前記ドア枠の縦枠は、前記扉の見込み面に対向する枠見込み面と、前記枠見込み面から前記扉の見込み面側に突出された係合片と、前記係合片に係合される気密材と、を備え、前記気密材は、前記係合片に係合され、かつ、前記係合片よりも屋外側に延出された延出部分を有する基部と、前記基部の屋外側の延出部分から突出されたリップ部とを備え、前記基部と前記枠見込み面との間には、前記枠見込み面に取り付けられる部品の取付位置の調整に利用可能な調整空間が形成され、前記縦枠は、金属製の屋外部材および屋内部材を、合成樹脂製の断熱部材で連結した枠本体を備え、前記係合片は、前記屋外部材と屋内部材とにそれぞれ形成され、前記気密材の基部は、前記屋外部材および屋内部材に跨がって配置されていることを特徴とする。
【００１０】
本発明によれば、気密材の基部を係合片よりも屋外側に延出しているので、気密材の基部を屋外側に延出していない場合に比べて、気密材のリップ部が扉に接する位置を屋外側に設定できる。したがって、気密材で外気の流入を阻止した際に、扉の見込み面において外気に直接触れる面積を小さくでき、ドアの断熱性能を向上できる。
さらに、気密材の基部と、枠見込み面との間に調整空間が形成されているので、気密材が枠見込み面に取り付けられる部品と干渉せず、部品の取付位置を容易に調整できる。
また、本発明によれば、縦枠の屋内部材を前記気密材よりも屋内側に配置でき、前記気密材で外気を遮断した際に、外気が屋内部材に接することを防止できる。したがって、縦枠の屋内部材が外気で冷却されることもなく、ドアの断熱性能を向上できる。
【００１１】
本発明において、前記気密材の基部は、加熱により膨張する耐火材料を含んで構成されていることが好ましい。
本発明によれば、例えば、ドアの屋外側で火災が発生して気密材が熱せられた場合に、加熱により膨張する耐火材料を含む前記気密材の基部が膨張するため、縦枠および扉間の隙間を塞いで遮炎することができる。
また、前記気密材の基部は屋外側に延長されているので、火災時の熱で扉の屋外面が上下方向に伸びて扉が屋外側に撓んだ場合でも、その撓んだ扉の見込み面に膨張した前記基部を当接できるので、縦枠および扉間の隙間を確実に塞いで遮炎できる。
【発明の効果】
【００１２】
本発明によれば、断熱性能を向上できるドアを提供できる。
【図面の簡単な説明】
【００１３】
【図１】本実施形態に係るドアの外観姿図。
【図２】前記ドアの縦断面図。
【図３】前記ドアの横断面図。
【図４】前記ドアの吊元側の縦枠部分を拡大して示す横断面図。
【発明を実施するための形態】
【００１４】
以下、本発明の実施形態を図面に基づいて説明する。
図１〜３に示すように、本発明のドアである玄関ドア（以下、ドア１と略称）は、いわゆる片開きドアであり、建物の外壁開口部に固定されるドア枠２と、このドア枠２に開閉可能に支持される扉５とを備えて構成されている。
【００１５】
［ドア枠の構成］
ドア枠２は、図２，３にも示すように、上枠１０、下枠２０および左右の縦枠３０，４０を有する。なお、図１の右側に配置される縦枠３０が吊元側とされて丁番４が取り付けられ、図１の左側に配置される縦枠４０が戸先側とされている。丁番４は、旗丁番などの一般的な丁番である。
【００１６】
上枠１０は、図２に示すように、枠本体１１と、カバー部材１３と、ＡＴ材（エアータイト材、気密材）としても機能する戸当り部材１５と、水密材１８とを備える。
枠本体１１は、アルミ押出形材製（金属製）の屋外部材および屋内部材を、ウレタン樹脂等の断熱部材で連結して構成されたアルミ断熱形材で構成されている。
カバー部材１３は、ＰＶＣ（ポリ塩化ビニル）などの合成樹脂製であり、扉５を閉めた際に枠本体１１において屋内側に露出する面を被覆している。
戸当り部材１５は、ＰＶＣ（ポリ塩化ビニル）などの合成樹脂製であり、扉５を閉めた際に扉５の屋内面に当接する。
水密材１８は、枠本体１１の屋外側端部に設けられ、枠本体１１および扉５間の隙間への雨水の吹き込みを低減する。
【００１７】
下枠２０は、枠本体２１と、カバー部材２３と、ＡＴ材としても機能する戸当り部材２５とを備える。下枠２０は、モルタルで納まるため、熱の出入りが少ない。このため、枠本体２１は、枠本体１１のようにアルミ断熱形材で構成する必要が無いため、アルミ押出形材で構成されている。
枠本体２１には、前記カバー部材２３が装着される溝部と、戸当り部材２５が装着される溝部とが形成されている。
カバー部材２３は、ＰＶＣ（ポリ塩化ビニル）などの合成樹脂製であり、枠本体２１において、戸当り部材２５よりも屋内側の露出面を被覆している。
戸当り部材２５は、戸当り部材１５と同一の部品であり、扉５を閉めた際に扉５の屋内面に当接する。
したがって、下枠２０の枠本体２１の屋内露出面は、カバー部材２３および戸当り部材２５で被覆されている。
【００１８】
吊元側の縦枠３０は、図４にも示すように、枠本体３１と、カバー部材３３と、ＡＴ材としても機能する戸当り部材３５と、気密材であるＡＴ材３７と、水密材３８とを備える。
枠本体３１は、アルミ押出形材からなる屋外部材３１１および屋内部材３１２を、ウレタン樹脂等の断熱部材３１３で連結して構成されたアルミ断熱形材で構成されている。
屋外部材３１１および屋内部材３１２において、扉５に対向する枠見込み面には、係合片３１５、３１７が扉５の見込み面に向かって突出して形成されている。
係合片３１５は、屋外部材３１１の屋内側、つまり断熱部材３１３に隣接する部分から突出されており、先端は屋内側に折曲されている。係合片３１７は、屋内部材３１２の屋外側、つまり断熱部材３１３に隣接する部分から突出されており、先端は屋外側に折曲されている。すなわち、係合片３１５および係合片３１７は、それぞれ扉５の見込み面側に突出し、さらに互いに近づく方向に折曲されている。これにより、係合片３１５および係合片３１７間には、ＡＴ材３７を係合する係合溝が形成されている。
【００１９】
カバー部材３３は、第１カバー部材３３１および第２カバー部材３３５の２つのカバー部材で構成されている。各カバー部材３３１，３３５は、ＰＶＣ等の合成樹脂部材で構成され、扉５を閉めた際に枠本体３１において屋内側に露出する面を被覆している。
第１カバー部材３３１は、屋内部材３１２の露出面を被覆するベース材であり、戸当り部材３５が装着される装着溝３３２も形成されている。この第１カバー部材３３１は、図３に示すように、屋内部材３１２を介して躯体にねじ込まれるネジ３３３によって、屋内部材３１２と共に躯体に固定されている。
第１カバー部材３３１に装着される戸当り部材３５は、ＰＶＣ（ポリ塩化ビニル）などの合成樹脂製であり、図４に示すように、扉５を閉めた際に扉５の屋内面に当接する。
【００２０】
第２カバー部材３３５は、前記ネジ３３３を被覆するものであり、第１カバー部材３３１に係合する２つの係合片３３６と、略三角形枠状の中空部（ホロー部）３３７と、第１カバー部材３３１の装着溝３３２部分を被覆する被覆片３３８とを備えている。
【００２１】
ＡＴ材３７は、係合片３１５および係合片３１７間に係合され、つまり屋外部材３１１および屋内部材３１２に跨がって装着され、断熱部材３１３を覆っている。
ＡＴ材３７は、前記係合片３１５、３１７に係合される基部３７１と、基部３７１の屋外側から突出されたリップ部３７２とを備えている。
【００２２】
基部３７１は、前記係合片３１５よりも屋外側に延出された延出部分を有している。このため、基部３７１と屋外部材３１１の枠見込み面との間には、見付け寸法（幅寸法）が前記係合片３１５の突出寸法に対応する調整空間３２が形成される。この調整空間３２の幅寸法は、図３に示すように、丁番４のプレート４Ａの厚さ寸法よりも大きくされ、調整空間３２にプレート４Ａを配置可能とされている。このため、枠本体３１に丁番４を固定する際に、プレート４Ａが係合片３１５に当接する位置までの範囲で、丁番４の見込み方向の取り付け位置を調整できる。
【００２３】
また、基部３７１は、加熱されると膨張する耐火材料（以下、熱膨張耐火材という）を練り込んだ合成樹脂材で構成されている。このため、火災などによって基部３７１の温度が上昇すると、基部３７１は膨張する。この際、熱膨張耐火材を練り込んでいる場合には、膨張方向は無指向であるが、扉５側の空間が広いため、基部３７１は主に扉５の見込み面に向かって膨張し、膨張端が扉５に当接することで、縦枠３０および扉５の間において隙間を遮蔽し、火炎の進入を防ぐ。
【００２４】
リップ部３７２は、基部３７１の屋外側端部から延出されている。リップ部３７２は、熱膨張耐火材を含まない合成樹脂材で構成されている。したがって、ＡＴ材３７は二色成形によって製造されている。リップ部３７２は、扉５側に向かい、さらに屋内側に向かうように、断面円弧状に延出されている。
リップ部３７２は、扉５を閉めた際に、扉５において縦枠３０に対向する見込み面（具体的には後述する樹脂エッジ材６４２）に当接する。
本実施形態では、縦枠３０にＡＴ材３７および戸当り部材３５を取り付けて、ＡＴ材を二重に配置したダブルエアタイト構造を採用している。すなわち、扉５を閉めた際に、戸当り部材３５およびＡＴ材３７が扉５に当接すると、戸当り部材３５およびＡＴ材３７間に密閉空気層３９が形成される。
水密材３８は、枠本体３１の屋外側端部に設けられ、枠本体３１および扉５間の隙間への雨水の吹き込みを低減する。
【００２５】
戸先側の縦枠４０は、縦枠３０と同様の構成を備える。すなわち、図３に示すように、縦枠４０は、枠本体４１と、カバー部材４３と、戸当り部材４５と、ＡＴ材４７と、水密材４８とを備える。
枠本体４１は、枠本体３１と同様に、アルミ押出形材からなる屋外部材および屋内部材を、ウレタン樹脂等の断熱部材で連結して構成されたアルミ断熱形材である。
カバー部材４３は、カバー部材３３と同様に、第１カバー部材４３１および第２カバー部材４３５を備える。第１カバー部材４３１は第１カバー部材３３１と同一の部品で構成され、第２カバー部材４３５は第２カバー部材３３５と同一の部品で構成される。
戸当り部材４５およびＡＴ材４７は、戸当り部材３５およびＡＴ材３７と同一の部品である。このため、ＡＴ材４７は、熱膨張耐火材が練り込まれた合成樹脂製の基部４７１と、合成樹脂製のリップ部４７２とを備えて構成されている。ＡＴ材４７の基部４７１は、枠本体４１に形成された係合片４１５、４１７に係合される。
そして、基部４７１および枠本体４１の枠見込み面との間には、隙間（調整空間）４２が形成される。また、扉５を閉めた際には、戸当り部材４５およびＡＴ材４７間に密閉空気層４９が形成される。
水密材４８は、水密材３８と同様に、枠本体４１および扉５の戸先間の隙間への雨水の吹き込みを低減する。
【００２６】
［扉の構成］
扉５は扉体６を備えて構成されている。なお、本実施形態では、採光窓が設けられていない扉体６を用いているが、扉体に開口を設け、開口に採光用パネルを組み込んだ扉体を用いてもよい。また、扉体６の戸先側には、操作ハンドル３が設けられている。
扉体６は、図２，３に示すように、枠体６０と、枠体６０の屋外側に固定された表面材である屋外面材６６と、枠体６０の屋内側に固定された表面材である屋内面材６７と、屋外面材６６と屋内面材６７との間に設けられた断熱芯材６８とを備えている。
断熱芯材６８は、フェノール樹脂系の断熱材で構成されている。なお、断熱芯材６８は、フェノール樹脂系の断熱材に限られず、例えば、ＥＰＳ（発泡ビーズ法ポリスチレン）の断熱材を用いてもよいし、ハニカム材（水酸化アルミハニカム、セラミックハニカム、ペーパーハニカム）、フォーム材（イソシアヌレートフォーム、ウレタンフォーム、フェノール樹脂フォーム）等の断熱材が使用されてもよい。
【００２７】
枠体６０は、上骨と、下骨と、吊元側および戸先側の縦骨とを、矩形状に組んで構成される。各骨材は、同一の構成を備えている。図４にも示すように、各骨材は、ＰＶＣ等の合成樹脂製の樹脂骨材６１と、スチールなどの鋼材で構成された補強材６２とを備えて構成されている。
樹脂骨材６１は、扉５の見込み方向に沿って形成された見込み片部６１１と、見込み片部６１１の屋外側から見付け方向に延長された屋外片部６１２と、見込み片部６１１の屋内側から見付け方向に延長された屋内片部６１３とを備える。また、樹脂骨材６１の屋外片部６１２、屋内片部６１３間には、見込み片部６１１から見付け方向に突出する区画片部６１４が設けられている。区画片部６１４は、見込み片部６１１の見込み方向の中央位置よりも屋内側にずれて配置され、屋外片部６１２および区画片部６１４間の寸法は、屋内片部６１３および区画片部６１４間の寸法よりも大きく設定されている。
【００２８】
補強材６２は、鋼製のチャンネル材で構成され、樹脂骨材６１の見込み片部６１１、屋外片部６１２、区画片部６１４に沿って配置されている。
区画片部６１４および屋内片部６１３間の空間は、断熱芯材６８および樹脂骨材６１で囲まれた空気層とされ、金属部品に接していないため、断熱性能を向上できる。なお、この空間に、断熱芯材６８と同じフェノール樹脂系の断熱材を配置して前記空間の断熱性能をより向上させてもよい。
【００２９】
屋外面材６６および屋内面材６７は、鋼板で構成されている。屋外面材６６は、断熱芯材６８の屋外面に沿って配置され、その外縁部は、樹脂骨材６１の屋外片部６１２から見込み片部６１１に沿って屋内側に折り曲げられ、樹脂骨材６１および補強材６２にリベット止めされている。
屋内面材６７は、断熱芯材６８の屋外面に沿って配置され、その外縁部は、樹脂骨材６１の屋内片部６１３から見込み片部６１１に沿って、屋外側に折り曲げられている。
【００３０】
各樹脂骨材６１のうち、吊元側および戸先側の各縦骨における見込み片部６１１には、図４に示すように、エッジ材６４が取り付けられている。エッジ材６４は、アルミ製のエッジ本体６４１と、エッジ本体６４１の屋内側に連結された樹脂エッジ材６４２とを備える。
樹脂エッジ材６４２は、ＰＶＣなどで構成され、扉５を閉めた際に、前記ＡＴ材３７，４７のリップ部３７２，４７２が当接する位置に配置されている。このため、扉５を閉めた場合に形成される密閉空気層３９，４９は、合成樹脂製の戸当り部材３５，４５、第１カバー部材３３１，４３１、ＡＴ材３７，４７、樹脂エッジ材６４２で囲まれる。したがって、密閉空気層３９，４９の周囲が熱伝導率の低い合成樹脂材で囲まれるため、密閉空気層３９，４９における断熱性能が向上する。
樹脂エッジ材６４２は、扉５の見込み面に沿った面が円弧状に凹んで形成されている。このため、戸先側の樹脂エッジ材６４２が縦枠４０に干渉することなく、扉５を開閉することができる。さらに、扉５を閉めた際の各リップ部３７２、４７２と、樹脂エッジ材６４２との密着性を向上できる。
なお、各樹脂骨材６１のうち、上骨および下骨における見込み片部６１１には、図２に示すように、アルミ製のエッジ材６５が取り付けられている。
【００３１】
吊元側の樹脂骨材（縦骨）６１および縦枠３０には、前述のとおり、丁番４がネジ止めされている。すなわち、丁番４のプレート４Ａは、枠本体３１の屋外部材３１１に固定され、丁番４のプレート４Ｂは、樹脂骨材６１の補強材６２に厚さ調整用の板材４Ｃを介してネジ止めされており、十分な取付強度を確保できる。
戸先側の樹脂骨材（縦骨）６１には、錠ケース等がネジ止めされている。この錠ケース等も樹脂骨材６１の補強材６２にネジ止めされ、十分な取付強度を確保できる。
【００３２】
縦枠４０の枠本体４１には錠受９がネジ止めされている。錠受９の見込み方向の取付位置は、扉５の厚さ寸法などに応じて調整される。この際、吊元側の縦枠３０と同様に、縦枠４０においても、ＡＴ材４７の基部４７１と、枠本体４１の見込み面との間には調整空間４２が形成されている。この調整空間４２の見付け寸法は、錠受９の受座９Ａの厚さ寸法よりも大きくされ、調整空間４２に受座９Ａを配置可能とされている。このため、枠本体３１に錠受９を固定する際に、受座９Ａが枠本体４１の係合片４１５に当接する位置までの範囲で、錠受９の見込み方向の取り付け位置を調整できる。
【００３３】
［ドアの防火作用］
本実施形態において、ドア１の屋外側で火災が発生した場合、ドア１は火炎にさらされて温度が上昇し、ＡＴ材３７，４７の基部３７１、４７１も温度が上昇する。このため、基部３７１、４７１に練り込まれた熱膨張耐火材が膨張し、縦枠３０、４０の枠見込み面と、扉５の見込み面との隙間を塞ぐ。この際、基部３７１、４７１は係合片３１５よりも屋外側に延長されており、扉５と基部３７１、４７１との掛かり代、つまり扉５の見込み面において、基部３７１、４７１に対向する部分の見込み寸法を大きくできる。したがって、屋外側に延長された基部３７１、４７１によって屋外側の広い範囲まで熱膨張耐火材で塞ぐことができるため、ドア１が屋外側に反った場合でも、縦枠３０、４０と、扉５との隙間を熱膨張耐火材で塞ぐことができる。
【００３４】
［実施形態による効果］
（１）ドア１の縦枠３０，４０において、ＡＴ材３７、４７の基部３７１、４７１を係合片３１５、４１５よりも屋外側に延出しているので、基部３７１、４７１の屋外側端部から延出されるリップ部３７２、４７２が扉５に接する位置も、扉５の見込み面において比較的屋外側に設定できる。したがって、ＡＴ材３７、４７を扉５に当接させて外気の流入を阻止した際に、扉５の見込み面において外気に直接触れる面積を小さくでき、ドア１の断熱性能を向上できる。
【００３５】
（２）ＡＴ材３７，４７の基部３７１、４７１と、枠本体３１、４１の枠見込み面との間に調整空間３２、４２が形成され、この調整空間３２、４２部分に丁番４のプレート４Ａや、錠受９の受座９Ａを配置できる。このため、枠本体３１、４１の枠見込み面に取り付けられる部品の取付位置や調整範囲がＡＴ材３７、４７によって制限されることがない。したがって、基部３７１、４７１の屋外側端部を、プレート４Ａや受座９Ａの屋内側端部よりも屋外側まで延長でき、リップ部３７２、４７２も扉５の見込み面において比較的屋外側に配置できる。このため、戸当り部材３５、４５との間に形成される密閉空気層３９、４９を広く確保できる。
そして、戸当り部材３５，４５と、ＡＴ材３７，４７との２つのＡＴ材間に形成される密閉空気層３９，４９を広く確保できるため、密閉空気層３９、４９による断熱性能も向上できる。
さらに、枠体６０において、補強材６２の屋内側に配置される樹脂骨材６１の区画片部６１４と、樹脂エッジ材６４２と、ＡＴ材３７、４７とが、ドア１の見込み方向にほぼ同じ位置に配置されている。このため、扉５において補強材６２の屋内側部分の断熱ラインと、樹脂エッジ材６４２およびＡＴ材３７、４７で外気流入を防止している断熱ラインとを見付け方向に連続させることができ、断熱性能を向上できる。
【００３６】
（３）ＡＴ材３７、４７の基部３７１、４７１に、熱膨張耐火材を練り込んでいるので、例えば、ドア１の屋外側で火災が発生してＡＴ材３７、４７が熱せられた場合に、前記基部３７１、４７１が膨張して、縦枠３０、４０および扉５間の隙間を塞いで遮炎することができる。
この際、前記ＡＴ材３７、４７の基部３７１、４７１は、プレート４Ａや受座９Ａに干渉することなく屋外側に延長できる。したがって、火災時の熱で扉５が屋外側に撓んだ場合でも、扉５の見込み面に膨張した熱膨張耐火材を当接でき、遮炎性能を向上できる。また、扉５や縦枠３０、４０の見込み面に、別途、熱膨張耐火材からなるシートを貼り付ける必要が無いため、コストを削減でき、組立性や意匠性を向上できる。
【００３７】
（４）縦枠３０，４０の屋内部材３１２を、ＡＴ材３７、４７よりも屋内側に配置でき、ＡＴ材３７、４７で外気を遮断した際に、外気が屋内部材３１２に接することを防止できる。したがって、アルミ断熱形材で構成された縦枠３０，４０の屋内部材３１２が外気で冷却されることもなく、ドア１の断熱性能をより向上できる。
【００３８】
［変形例］
なお、本発明は以上の実施形態で説明した構成のものに限定されず、本発明の目的を達成できる範囲での変形例は、本発明に含まれる。
例えば、防火仕様ではないドア１の場合、熱膨張耐火材が練り込まれていないＡＴ材を用いれば良い。
【００３９】
本発明のドアは、採光部を備えないドア１であったが、採光部を有する扉５を用いてもよい。また、本発明のドアは、玄関ドアに限らず、勝手口ドアなど出入り口の各種ドアとして利用できる。さらに、ドアのドア枠は、上枠および左右の縦枠を備えた三方枠でもよい。
【符号の説明】
【００４０】
１…ドア、２…ドア枠、４…丁番、５…扉、６…扉体、９…錠受、１０…上枠、２０…下枠、３０…縦枠、３１…枠本体、３２…隙間、３３…カバー部材、３５…戸当り部材、３７…ＡＴ材、３９…密閉空気層、４０…縦枠、４１…枠本体、４２…隙間、４３…カバー部材、４５…戸当り部材、４７…ＡＴ材、４９…密閉空気層、６０…枠体、６１…樹脂骨材、６２…補強材、３１５、３１７、４１５、４１７…係合片、３７１、４７１…基部、３７２、４７２…リップ部、６４２…樹脂エッジ材。
【図１】
0006580393.tif 000002
【図２】
0006580393.tif 000003
【図３】
0006580393.tif 000004
【図４】
0006580393.tif 000005